(57)【要約】【課題】大形の印刷版を用いても転写の精度が低下することなく、高精度の転写を長期にわたり維持することのできるフレキソ印刷版およびフレキソ印刷機を提供する。【解決手段】フレキソ印刷版１０Ｂは、その裏面に一体に貼着されたフィルム状基材２の裏面側に、刷り方向の一方の端部から他方の端部まで連続するステンレス箔３が配設されている。また、フレキソ印刷機は、印刷版１０を装着する版胴２１の外周面における、少なくとも印刷版１０の印刷用凸部１０ｗに対応する領域以外の位置に、版胴内部に貫通する溝２１ａが複数設けられ、この版胴２１内部に、各溝２１ａと陰圧源とを連絡する陰圧供給手段３０が形成され、印刷版１０が版胴２１外周面に吸着固定されるようになっている。【選択図】図２
2013031985.tif 000002
【特許請求の範囲】
【請求項１】
樹脂製のフレキソ印刷版と、上記フレキソ印刷版の裏面に一体に貼着されたフィルム状基材とを備えるフレキソ印刷版であって、フレキソ印刷版を版胴に固定するためのクランプに対応する上記フレキソ印刷版の部分に、上記フィルム状基材の端部が位置決めされていることを特徴とするフレキソ印刷版。
【請求項２】
樹脂製のフレキソ印刷版と、上記フレキソ印刷版の裏面に一体に貼着されたフィルム状基材とを備えるフレキソ印刷版であって、上記フィルム状基材の裏面側に、印刷版刷り方向の一方の端部から他方の端部まで連続するステンレス箔が配設され、フレキソ印刷版を版胴に固定するためのクランプに対応する上記フレキソ印刷版の部分に、上記フィルム状基材の端部および上記ステンレス箔の端部の少なくとも一方が位置決めされていることを特徴とするフレキソ印刷版。
【請求項３】
樹脂製のフレキソ印刷版と、上記フレキソ印刷版の裏面に一体に貼着されたフィルム状基材とを備えるフレキソ印刷版であって、上記フィルム状基材の表面側に、印刷版刷り方向の一方の端部から他方の端部まで連続するステンレス箔が配設され、フレキソ印刷版を版胴に固定するためのクランプに対応する上記フレキソ印刷版の部分に、上記フィルム状基材の端部および上記ステンレス箔の端部の少なくとも一方が位置決めされていることを特徴とするフレキソ印刷版。
【請求項４】
外周面の所定位置にフレキソ印刷版を装着するロール状の版胴と、上記版胴に装着されたフレキソ印刷版にインキを供給するアニロックスロールと、このアニロックスロール上のインキ量を調節するインキ量調節手段と、インキ供給手段とを備えるフレキソ印刷機であって、上記版胴の外周面には、少なくともフレキソ印刷版の印刷用凸部に対応する領域以外の位置に、版胴内部に貫通する版胴軸方向の溝が複数設けられ、この版胴の内部には、上記各溝と版胴の外部に設置された陰圧源とを連絡する陰圧供給手段が形成され、上記フレキソ印刷版を版胴に装着した際に、このフレキソ印刷版が上記版胴外周面に吸着固定されるようになっていることを特徴とするフレキソ印刷機。
【発明の詳細な説明】
【技術分野】
【０００１】  本発明は、フレキソ印刷版およびフレキソ印刷機に関する。
【背景技術】
【０００２】  フレキソ印刷は、表面に印刷用の凸部が形成された樹脂製やゴム製の柔軟なフレキソ印刷版（以下、単に「印刷版」ともいう）を用いて、上記印刷用凸部の頂面に保持したインキを、低印圧で被印刷体に転写する印刷方式である。このフレキソ印刷は、上記印刷版の印刷用凸部が比較的柔らかく、種々の形状の被印刷体表面に追従可能なことから、様々な材質や厚みのある被印刷体等への印刷にも使用されている。【０００３】  図７は、フレキソ印刷機の一般的な構成を示す概略構成図である。この図のように、フレキソ印刷機（輪転式）は、フレキソ印刷版１０を巻き付けて装着する版胴２０と、上記印刷版１０にインキを供給するためのアニロックスロール２２と、インキ量調節手段（ドクター２３）およびインキ供給手段（インキタンク２４）等を主体として構成されている。印刷される被印刷体Ｐ（例えば、ロール紙やダンボール等）を挟んで上記版胴２０（印刷版１０）に対向する位置には、上記被印刷体Ｐを版胴２０に押し付けるための圧胴２６が配置されており、これら版胴２０と圧胴２６の間の位置で、上記印刷版１０の印刷用凸部（１０ｗ）上に保持されたインキが、被印刷体Ｐ上に転写されるようになっている。なお、図中の符号１１，１１は、印刷版１０を版胴２０に取り付けるためのクランプであり、これらクランプ１１，１１に印刷（刷り）方向の端部を挟み込むことにより、上記印刷版１０は、版胴周方向に張力をかけた状態で、この版胴２０の外周に密着するように固定されている（例えば、特許文献１，２等を参照。）。【０００４】  上記フレキソ印刷機に用いられる印刷版１０は、図８（ａ）に平面図，図８（ｂ）に側面図を示すように、全体として、版胴（２０）に巻き付けることのできる略長方形状に形成されており、その表面側（図示上側）には、文字や画像等のパターンに形成された印刷用凸部１０ｗが設けられ、その裏面（図示上側）には、上記印刷版１０の補強用のフィルム状基材２（この例では二層フィルム）が一体に貼り付けられている。このフィルム状基材２は、上記印刷版１０に加わる、版胴２０外周に沿った方向の張力を主として支持する「テンション・メンバー」として機能しているもので、例えば、多層のポリエチレンテレフタレート（ＰＥＴ）製フィルム等が用いられる。なお、図中の符号１０ｘは、印刷に関与しない平板部（非印刷部）である。また、上記印刷版１０の刷り方向（この例の場合は長手方向：図示左右方向）の端部には、比較的薄肉の曲げ部１０ｙを介して、版胴（２０）への取り付けに用いられる端部（以下「くわえ部」）１０ｚが設けられており、このくわえ部１０ｚに、前記クランプ１１の締め付け用ねじ等を挿通するための貫通穴１０ｈが、所定の間隔で複数形成されている（特許文献３を参照）。
【先行技術文献】
【特許文献】
【０００５】
【特許文献１】特開２００７−２４５４１７号公報
【特許文献２】特開２００５−２２５１５３号公報
【特許文献３】特開２００２−１７８４８４号公報
【発明の概要】
【発明が解決しようとする課題】
【０００６】  ところで、フレキソ印刷は、近年、基板や配線等を傷つけることなく、均一な薄膜を、高速かつ高精度に転写できるという特徴を生かして、液晶，有機ＥＬ，有機ＴＦＴ等の基板上に設けられる電極層やシール剤，マスキング剤等の印刷（転写）形成に利用され始めている。【０００７】  しかしながら、上記のようなフレキソ印刷を用いたシール剤等の印刷（転写）形成においては、フラットパネルディスプレイや太陽電池パネル用基板の大形化（大面積化）に伴い、転写に使用するフレキソ印刷版も大形化するため、版胴上での印刷版の位置ずれや引っ張りの伸びにより、その転写精度が低下する傾向にあることが分かってきた。高精度な転写を維持できない場合、上記フラットパネルディスプレイや太陽電池パネル等の歩留りが低下してしまうおそれがあり、その改善が望まれている。【０００８】  本発明は、このような事情を鑑みてなされたもので、大形の印刷版を用いても転写の精度が低下することなく、高精度の転写を長期にわたり維持することのできるフレキソ印刷版およびフレキソ印刷機の提供をその目的とする。
【課題を解決するための手段】
【０００９】  上記の目的を達成するため、本発明は、樹脂製のフレキソ印刷版と、上記フレキソ印刷版の裏面に一体に貼着されたフィルム状基材とを備えるフレキソ印刷版であって、フレキソ印刷版を版胴に固定するためのクランプに対応する上記フレキソ印刷版の部分に、上記フィルム状基材の端部が位置決めされているフレキソ印刷版を第１の特徴とする。【００１０】  また、同じ目的を達成するため、本発明は、樹脂製のフレキソ印刷版と、上記フレキソ印刷版の裏面に一体に貼着されたフィルム状基材とを備えるフレキソ印刷版であって、上記フィルム状基材の裏面側に、印刷版刷り方向の一方の端部から他方の端部まで連続するステンレス箔が配設され、フレキソ印刷版を版胴に固定するためのクランプに対応する上記フレキソ印刷版の部分に、上記フィルム状基材の端部および上記ステンレス箔の端部の少なくとも一方が位置決めされているフレキソ印刷版を第２の特徴とする。【００１１】  さらに、本発明は、樹脂製のフレキソ印刷版と、上記フレキソ印刷版の裏面に一体に貼着されたフィルム状基材とを備えるフレキソ印刷版であって、上記フィルム状基材の表面側に、印刷版刷り方向の一方の端部から他方の端部まで連続するステンレス箔が配設され、フレキソ印刷版を版胴に固定するためのクランプに対応する上記フレキソ印刷版の部分に、上記フィルム状基材の端部および上記ステンレス箔の端部の少なくとも一方が位置決めされているフレキソ印刷版を第３の特徴とする。【００１２】  そして、本発明は、外周面の所定位置にフレキソ印刷版を装着するロール状の版胴と、上記版胴に装着されたフレキソ印刷版にインキを供給するアニロックスロールと、このアニロックスロール上のインキ量を調節するインキ量調節手段と、インキ供給手段とを備えるフレキソ印刷機であって、上記版胴の外周面には、少なくともフレキソ印刷版の印刷用凸部に対応する領域以外の位置に、版胴内部に貫通する版胴軸方向の溝が複数設けられ、この版胴の内部には、上記各溝と版胴の外部に設置された陰圧源とを連絡する陰圧供給手段が形成され、上記フレキソ印刷版を版胴に装着した際に、このフレキソ印刷版が上記版胴外周面に吸着固定されるようになっているフレキソ印刷機を第４の特徴とする。【００１３】  本発明は、ディスプレイや太陽電池等に使用される平板状基板の表面に、シール剤やマスキング剤等からなる均一な薄膜を転写形成するのに用いられるフレキソ印刷において、版胴外周面に張力をかけた状態で固定される印刷版の「版胴周方向の伸縮（伸び）」を抑える構成を導入することにより、所期の目的を達成するものである。
【発明の効果】
【００１４】  すなわち、本発明のフレキソ印刷版は、樹脂製のフレキソ印刷版と、上記フレキソ印刷版の裏面に一体に貼着されたフィルム状基材とを備えるフレキソ印刷版であって、フレキソ印刷版を版胴に固定するためのクランプに対応する上記フレキソ印刷版の部分に、上記フィルム状基材の端部が位置決めされている。そのため、このフレキソ印刷版を印刷機の版胴に装着する際、上記フィルム状基材の端部が、印刷版の把持用端部（くわえ部）としてクランプ装置等に挟み込まれ、このフィルム状基材のみで、フレキソ印刷版の刷り方向（版胴周方向）の引っ張りに対抗できるようになる。これにより、柔軟なフレキソ印刷版の寸法安定性および耐久性（耐刷性）を大幅に向上させることができる。【００１５】  また、本発明の請求項２に係るフレキソ印刷版は、上記フィルム状基材の裏面側に、印刷版刷り方向の一方の端部から他方の端部まで連続するステンレス箔が配設され、フレキソ印刷版を版胴に固定するためのクランプに対応する上記フレキソ印刷版の部分に、上記フィルム状基材の端部および上記ステンレス箔の端部の少なくとも一方が位置決めされている。そのため、このフレキソ印刷版を印刷機の版胴に装着する際、上記フィルム状基材の端部または上記ステンレス箔の端部、あるいは、その両者の端部を一緒に版胴のクランプ装置等に挟み込んで引っ張ることにより、フレキソ印刷版の刷り方向（版胴周方向）の引っ張り強度が、より向上する。さらに、フレキソ印刷版の寸法安定性および耐久性（耐刷性）が格段に向上する。これにより、本発明の請求項２に係るフレキソ印刷版は、印刷版を大形化（大面積化）しても転写の精度が低下することなく、高精度の転写を長期にわたり維持することのできる、寿命の長いフレキソ印刷版とすることができる。【００１６】  また、本発明の請求項３に係るフレキソ印刷版は、上記請求項２に係るフレキソ印刷版とは逆に、上記フィルム状基材の表面側に、印刷版刷り方向の一方の端部から他方の端部まで連続するステンレス箔が配設されている。この構成によっても、フレキソ印刷版を印刷機の版胴に装着する際、上記フィルム状基材の端部または上記ステンレス箔の端部、あるいは、その両者の端部を一緒に版胴のクランプ装置等に挟み込んで引っ張ることにより、フレキソ印刷版の寸法安定性および耐久性（耐刷性）を、より向上させることができる。なお、上記ステンレス箔が配設される「フィルム状基材の表面側」とは、このフィルム状基材と樹脂製フレキソ印刷版との間（界面）に配置される場合と、上記フレキソ印刷版を構成する樹脂の中に埋没するように配置される場合とを含む。【００１７】  そして、本発明の請求項４に係るフレキソ印刷機は、フレキソ印刷版を装着する版胴の外周面における、少なくともフレキソ印刷版の印刷用凸部に対応する領域以外の位置に、版胴内部に貫通する版胴軸方向の溝が複数設けられ、この版胴の内部に、上記各溝と版胴の外部に設置された陰圧源とを連絡する陰圧供給手段が形成され、上記フレキソ印刷版を版胴に装着した際に、上記陰圧源による吸引により、このフレキソ印刷版が上記版胴外周面に密着して固定されるようになっている。これにより、上記印刷版の印刷用凸部以外の領域（刷り���向両端部を含む）を、版胴軸方向に均等な力で固定（吸着）することができる。【００１８】  また、上記フレキソ印刷版吸着用の溝を、フレキソ印刷版の印刷用凸部に対応する領域を含む全面に設けた場合は、大形（大面積）のフレキソ印刷版であっても、この大形印刷版を、版胴外周面の所定位置に、版胴周方向に均等な力でしっかりと固定することができる。さらに、フレキソ印刷版が、転写の繰り返し（輪転）による応力を受けても、印刷版が全面で吸着されているため、この印刷版の伸びが抑えられる。したがって、本発明のフレキソ印刷機は、高精度の転写を長期にわたって安定して維持することができる。
【図面の簡単な説明】
【００１９】
【図１】（ａ）は本発明の第１実施形態におけるフレキソ印刷版の構成を示す断面図であり、（ｂ）はその部分拡大図である。
【図２】（ａ）は本発明の第２実施形態におけるフレキソ印刷版の構成を示す断面図であり、（ｂ）はその部分拡大図である。
【図３】（ａ）は本発明の第３実施形態におけるフレキソ印刷版の構成を示す断面図であり、（ｂ）はその部分拡大図である。
【図４】（ａ）は本発明の第４実施形態におけるフレキソ印刷版の構成を示す断面図であり、（ｂ）はその部分拡大図である。
【図５】本発明の第５実施形態におけるフレキソ印刷機の概略構成図である。
【図６】第５実施形態におけるフレキソ印刷機の版胴の拡大図である。
【図７】従来のフレキソ印刷機の概略構成図である。
【図８】（ａ）はフレキソ印刷版の平面図、（ｂ）はフレキソ印刷版の側面図である。
【発明を実施するための形態】
【００２０】  つぎに、本発明の実施の形態を、図面にもとづいて詳しく説明する。ただし、本発明は、この実施の形態に限定されるものではない。
【００２１】  本発明の実施の形態におけるフレキソ印刷版１０（１０Ａ，１０Ｂ，１０Ｃ，１０Ｄ）は、液晶，有機ＥＬ，有機ＴＦＴ等の製造工程において、電極層やシール剤，マスキング剤等の有機溶剤系のインキ（塗工液）を、印刷（転写形成）するのに用いられるものであり、図５（第５実施形態）に示すようなフレキソ印刷機（輪転式）を用いて、移動ステージ２５上に載置した平板状の基板（ワークＷ）上に、版胴２１に装着された上記印刷版１０（１０Ａ，１０Ｂ，１０Ｃ，１０Ｄ）上に保持されたインキを転写する。なお、図５（第５実施形態）のフレキソ印刷機の詳細は後記するが、その基本的な構成は従来例と同様であり、上記印刷版１０にインキを供給するためのアニロックスロール２２と、ドクター（ブレード）２３およびインキ補充手段（インキタンク２４）等を備えている。
【００２２】  また、第１〜第４実施形態で用いるフレキソ印刷版１０Ａ，１０Ｂ，１０Ｃ，１０Ｄは、樹脂やゴム等の柔軟性を有する材料を用いて構成されており、図１〜図４の断面図に示すように、従来例と同様の印刷用凸部１ａおよび平板部１ｂ、曲げ部１ｃ、端部１ｄが形成され、これら各印刷版フレキソ印刷版１０Ａ，１０Ｂ，１０Ｃ，１０Ｄの裏面（印刷用凸部１ａの反対側）には、ＰＥＴ製のフィルム状基材２（単層または複層）が貼り付けられている。そして、第１実施形態におけるフレキソ印刷版１０Ａ（図１）では、印刷版の刷り方向両端のくわえ部１０ｚが上記フィルム状基材２で構成され、第２実施形態におけるフレキソ印刷版１０Ｂ（図２）では、印刷版の刷り方向両端のくわえ部１０ｚが上記フィルム状基材２およびその裏面に貼着されたステンレス箔３で構成され、第３実施形態におけるフレキソ印刷版１０Ｃ（図３）では、印刷版の刷り方向両端のくわえ部１０ｚが上記フィルム状基材（２）の裏面に貼着されたステンレス箔３で構成されている。これが、本発明の第１〜第３実施形態におけるフレキソ印刷版１０Ａ，１０Ｂ，１０Ｃの特徴である。
【００２３】  また、第４実施形態におけるフレキソ印刷版１０Ｄ（図４）では、上記フィルム状基材２の表面側（図示上側）でかつ印刷版１を構成する樹脂の中に、刷り方向の一方の端部から他方の端部（くわえ部１０ｚからくわえ部１０ｚ）まで連続するステンレス箔４が埋め込まれ、このステンレス箔４の端部が、版胴のクランプ１１に対応する位置に位置決めされている。これが、本発明の第４実施形態におけるフレキソ印刷版１０Ｄの特徴である。
【００２４】  上記各フレキソ印刷版について、さらに詳しく説明すると、図１に示す第１実施形態のフレキソ印刷版１０Ａは、従来例〔図８参照〕と同様、全体として略長方形状であり、その表面側（図示上側）に、文字や画像等のパターンに形成された印刷用凸部１ａを有する印刷版１と、この印刷版１の裏面（図示下側）に一体に貼り付けられた、印刷版１の補強用のフィルム状基材２からなる。
【００２５】  上記印刷版１の刷り方向（図示左右方向）の中央部には、印刷用凸部１ａと平板部１ｂとが設けられ、その刷り方向両端部に、比較的薄肉の曲げ部１ｃ，１ｃを介して端部１ｄ，１ｄが形成されている。上記印刷版１を構成する材料としては、樹脂やゴム等、版成形後にも一定の弾性を有する材料が用いられる。なお、本実施形態におけるフレキソ印刷版１０Ａは、先に述べたように、液晶，有機ＥＬ，有機ＴＦＴ等の製造工程において、基板（ワークＷ）上に、電極層やシール剤，マスキング剤等の有機溶剤系のインキを、転写形成するのに用いられるものであることから、上記印刷版１の材料も、上記工程の使用インキに含まれる有機溶剤に対する膨潤度等を考慮して決定される。
【００２６】  上記印刷版１の裏面側に位置するフィルム状基材２は、樹脂製のフィルム（あるいはシート）を一層または二層以上積層して形成されたものであり、この例（図１）では、ポリエチレンテレフタレート（ＰＥＴ）製の二層フィルムが用いられている。また、このフィルム状基材２の刷り方向（図示左右方向）の両端部は、版胴装着用のクランプ（１１：仮想線）に対応する位置に位置決めされており、フレキソ印刷版１０Ａのくわえ部１０ｚとなっている。なお、上記くわえ部１０ｚには、上記クランプ１１の締め付け用ねじ等を挿通するための貫通穴１０ｈが設けられている。また、フィルム状基材２単体の厚さとしては、０．１０〜０．８０ｍｍ程度の厚さ（全厚）のフィルムが用いられる。
【００２７】  上記第１実施形態のフレキソ印刷版１０Ａによれば、印刷機の版胴（２１）への装着の際、上記フィルム状基材２の端部に設けられたくわえ部１０ｚをクランプ１１に挟み込んで引っ張ることにより、フレキソ印刷版１０Ａの刷り方向（版胴周方向）の引っ張り強度が向上する。これにより、第１実施形態のフレキソ印刷版１０Ａは、印刷版１の刷り方向の伸びが抑えられ、高精度の転写を長期にわたり維持することができる。
【００２８】  つぎに、図２に示す第２実施形態のフレキソ印刷版１０Ｂが、上記第１実施形態のフレキソ印刷版（１０Ａ）と異なる点は、上記フィルム状基材２のさらに裏面側（図示下側）に、ステンレス箔３が、貼り付けられている点である。
【００２９】  上記ステンレス箔３は、ＳＵＳ３０４等のステンレススチールからなる、厚さ０．００５〜２．００ｍｍ程度の金属箔であり、上記フィルム状基材２に一体に貼り付けされる。このステンレス箔３は、印刷版刷り方向（図示左右方向）の端から端まで、すなわち、少なくともクランプ１１に対応する位置（端部のくわえ部１０ｚ）にかかるように配設されており、印刷機の版胴（２１）に装着する場合、図２のように、フィルム状基材２の端部とともにクランプ１１に挟み込まれるようになっている。その他の構成は前記第１実施形態のフレキソ印刷版（１０Ａ）と同じである。
【００３０】  上記第２実施形態のフレキソ印刷版１０Ｂによれば、上記ステンレス箔３により、印刷版刷り方向の引っ張り強度が大幅に向上する。すなわち、このフレキソ印刷版１０Ｂを印刷機の版胴（２１）に装着する際、上記ステンレス箔３が存在する両端部（くわえ部１０ｚ）をクランプ１１に挟み込み、上記フィルム状基材２とこのステンレス箔３を一緒に引っ張ることにより、フレキソ印刷版１０Ｂの刷り方向（版胴周方向）の引っ張り強度が、大幅に向上する。これにより、第２実施形態のフレキソ印刷版１０Ｂは、印刷版１を大形化（大面積化）しても転写の精度が低下することなく、高精度の転写を長期にわたり維持することができる。
【００３１】  つぎに、図３に示す第３実施形態のフレキソ印刷版１０Ｃが、上記第２実施形態のフレキソ印刷版（１０Ｂ）と異なる点は、クランプ１１に挟み込まれる、両端部のくわえ部１０ｚに、フィルム状基材２が配設されておらず、上記クランプ１１に対応する位置には、上記ステンレス箔３の端部のみが位置決めされている点である。
【００３２】  上記第３実施形態の構成によっても、フレキソ印刷版１０Ｃの刷り方向（版胴周方向）の引っ張り強度が大幅に向上し、高精度の転写を長期にわたり維持することができる。
【００３３】  つぎに、上記第２，第３実施形態とステンレス箔（４）の配設位置が異なる第４実施形態について説明する。
【００３４】  図４に示す第４実施形態のフレキソ印刷版１０Ｄも、従来例〔図８参照〕と同様、全体として略長方形状であり、その表面側（図示上側）に、文字や画像等のパターンに形成された印刷用凸部１ａを有する印刷版１と、この印刷版１の裏面（図示下側）に一体に貼り付けられた、印刷版１の補強用のフィルム状基材２からなり、外観上、従来のフレキソ印刷版（１０）と差異はない。
【００３５】  上記フレキソ印刷版１０Ｄが、従来例と異なる点は、上記フィルム状基材２より表面側（図示上側）で、かつ、印刷版１を構成する樹脂の中に、ステンレス箔４が埋め込まれている点である。このステンレス箔４は、前記第２，第３実施形態におけるステンレス箔（３）と同様、ＳＵＳ３０４等のステンレススチールからなる厚さ０．００５〜２．００ｍｍ程度の金属箔で、上記印刷版１における印刷版刷り方向（図示左右方向）の端から端まで、すなわち、少なくともクランプ１１に対応する位置（端部のくわえ部１０ｚ）にかかるように位置決めされている。
【００３６】  なお、このような樹脂中にステンレス箔４を埋没させる方法は、例えば、印刷版１に対応する型枠（反転型）等に液状の樹脂組成物を充填して印刷版１を形成する際、一旦、所望の位置（深さ）まで上記樹脂組成物を充填し、上記ステンレス箔４を樹脂組成物上に載置した後、その上に所定量まで上記樹脂組成物を充填してステンレス箔４を覆い、その状態で樹脂を硬化させる等により行うことができる。
【００３７】  上記構成によれば、印刷機の版胴（２１）に装着した場合、印刷版１の端部１ｄおよびフィルム状基材２の端部とともに、上記ステンレス箔４の端部がクランプ１１に挟み込まれるようになっている。これにより、印刷版刷り方向の引っ張り強度が向上する。すなわち、このフレキソ印刷版１０Ｄを印刷機の版胴（２１）に装着する際、上記ステンレス箔４が存在するくわえ部１０ｚが、版胴（２１）のクランプ１１により引っ張られることにより、フレキソ印刷版１０Ｄの刷り方向（版胴周方向）の引っ張り強度が、大幅に向上する。また、印刷版１の寸法安定性および耐久性（耐刷性）が格段に向上し、これにより、第４実施形態のフレキソ印刷版１０Ｄは、印刷版１を大形化（大面積化）しても転写の精度が低下することなく、高精度の転写を長期にわたり維持することができる。
【００３８】  つぎに、本発明の第５実施形態におけるフレキソ印刷機について述べる。
図５は、第５実施形態におけるフレキソ印刷機の概略構成図である。なお、従来のフレキソ印刷機と同様の機能を有する構成部材には、同じ符号を付記する。
【００３９】  本実施形態におけるフレキソ印刷機は、上記各フレキソ印刷版の実施形態と同様、液晶，有機ＥＬ，有機ＴＦＴ等の製造工程において、電極層やシール剤，マスキング剤等の有機溶剤系のインキ（塗工液）を、印刷（転写形成）するのに用いられるものであり、先に述べたように、移動ステージ２５上に載置した平板状の基板（ワークＷ）上に、版胴２１に装着されたフレキソ印刷版（従来品である１０もしくは本発明品である１０Ａ，１０Ｂ，１０Ｃ，１０Ｄ）上に保持されたインキを転写するものである。なお、上記版胴２１は、大判（大面積）のフレキソ印刷版１０（１０Ａ〜１０Ｄ）に対応できるように、従来の印刷機の版胴（２０：図７参照）より大径になっている。また、フレキソ印刷版１０にインキを供給するためのアニロックスロール２２と、ドクター（ブレード）２３およびインキ補充手段（インキタンク２４）等を備える点も同様である。
【００４０】  本実施形態におけるフレキソ印刷機が、従来のフレキソ印刷機と異なる点は、図６の拡大図に示すように、その版胴２１の外周面における、フレキソ印刷版１０の印刷用凸部１０ｗに対応する領域以外の位置（この例においては、印刷版１０の端部近傍の平板部１０ｘおよび曲げ部１０ｙに対応する領域）に、版胴２１内部に貫通する版胴軸方向の溝２１ａ，２１ａ，・・・が複数設けられ、この版胴２１の内部に、上記各溝２１ａと版胴２１の外部に設置された吸引ポンプ等の陰圧源（図示せず）とを連絡する陰圧連絡管３０ａ，分配管３０ｂ，陰圧室３０ｃ等からなる陰圧供給手段３０が形成されている点である。そして、これら版胴２１外周面の溝２１ａと上記陰圧供給手段３０により、上記フレキソ印刷版１０をこの版胴２１に装着した際に、このフレキソ印刷版１０が、上記版胴２１外周面に吸着固定されるようになっている。これが、第５実施形態におけるフレキソ印刷機の特徴である。
【００４１】  より詳しく説明すると、版胴２１内に設置された陰圧供給手段３０は、版胴２１外周面の各溝２１ａの裏側に位置する陰圧室３０ｃと、版胴２１の回転中心に位置する陰圧連絡管３０ａと、この陰圧連絡管３０ａを通じて供給される陰圧を各陰圧室３０に分配する分配管３０ｂとから構成されている。上記陰圧連絡管３０ａの一端の開口は、この版胴２１の外部に設置された吸引ポンプ等の陰圧源に接続され、これら陰圧連絡管３０ａおよび各分配管３０ｂを通じて供給された陰圧により、上記各陰圧室３０内が負圧に保たれるようになっている。
【００４２】  上記版胴２１の外周面に設けられた貫通溝２１ａは、版胴軸方向に連続する長孔状あるいはスリット状であり、その版胴周方向に所定の間隔で多数設けられている。なお、上記溝２１ａの開口形状（パターン）は、必ずしも版胴軸方向に沿って版胴端面から端面まで平行に連続するものばかりではなく、版胴軸方向に対して不連続な形状のもの、軸方向に対して傾斜する形状のもの、千鳥状に相互に位相を変更してあるパターンや、長楕円形状の開口を有するパンチングメタル状等を使用することができ、これらの形状を組み合わせて用いてもよい。
【００４３】  また、上記実施形態では、溝２１ａ内への印刷版１０の引き込み（吸着による不陸）に起因する印刷用凸部１０ｗ表面の凹凸化（すなわち、転写精度の低下）を避けるため、印刷版１０吸着用の溝２１ａを設ける位置を、上記印刷用凸部１０ｗにかからない、印刷版１０の端部領域（平板部１０ｘと薄肉の曲げ部１０ｙとに対応する位置）としたが、上記溝２１ａの開口形状や吸引圧等の調整により上記印刷用凸部１０ｗ表面の凹凸化を回避可能であれば、溝２１ａは版胴２１の外周面の全周にわたって、もしくは任意の位置に設けることができる。さらには、上記溝２１ａおよび陰圧供給手段３０による印刷版１０の吸着が充分であれば、クランプ１１等を省略し、上記印刷版１０の端部を、磁力（マグネット）吸着式としたりすることも可能である。
【００４４】  上記のフレキソ印刷機によれば、陰圧源による吸引により、上記フレキソ印刷１０の両端部側（平板部１０ｘ）を、版胴軸方向に均等な力で固定（吸着）することができる。また、フレキソ印刷版１０が、転写の繰り返し（輪転）による応力を受けても、この印刷版１０の伸びを抑えることができる。したがって、本実施形態のフレキソ印刷機は、高精度の転写を長期にわたって安定して維持することができる。
【００４５】  なお、上記従来のフレキソ印刷版１０に代えて、前記第１〜第４実施形態のようなフレキソ印刷版１０Ａ，１０Ｂ，１０Ｃ，１０Ｄを用いてもよい。上記フレキソ印刷版１０Ａ，１０Ｂ，１０Ｃ，１０Ｄを使用すれば、版の寸法安定性および耐久性（耐刷性）がより向上するとともに、これらフレキソ印刷版１０Ａ，１０Ｂ，１０Ｃ，１０Ｄを大形化（大面積化）しても、高精度の転写をより長期にわたり維持することができ、好ましい。
【産業上の利用可能性】
【００４６】  本発明のフレキソ印刷版およびフレキソ印刷機は、大形の印刷版であっても、転写の精度が低下することなく、高精度の転写を長期にわたり維持することができるため、フラットパネルディスプレイ用や太陽電池パネル用基板用等、近年、大面積化する基板上に、基板や配線等を傷つけることなく、均一な薄膜を、高速かつ高精度に転写できる。
【符号の説明】
【００４７】  １  印刷版
２  基材
３  ステンレス箔
４  ステンレス箔
１０  フレキソ印刷版
１０Ａ，１０Ｂ，１０Ｃ，１０Ｄ  フレキソ印刷版
１１  クランプ
２０  版胴
２１  版胴
２２  アニロックスロール
２３  ドクター
２４  インキタンク
２５  移動ステージ
２６  圧胴
３０  陰圧供給手段
Ｗ  ワーク
【図１】
2013031985.tif 000003
【図２】
2013031985.tif 000004
【図３】
2013031985.tif 000005
【図４】
2013031985.tif 000006
【図５】
2013031985.tif 000007
【図６】
2013031985.tif 000008
【図７】
2013031985.tif 000009
【図８】
2013031985.tif 000010